(57)【要約】【目的】  補強板の外形を変えるだけでフレキシブル基板の外形を変える必要がない。このことにより、フレキシブル基板のパターン等の変更が必要でなく、フレキシブル基板のコストダウンを図ることができる。【構成】  フレキシブル基板４が平面視略Ｅ字形に形成されており、このフレキシブル基板４の表面に複数の補強板５が貼着されていて、フレキシブル基板４の下側水平片部４ａから外向きに突出された半固定抵抗貼付片４ｂの表面に補強板７が貼着され裏面に半固定抵抗６が貼着されて、この半固定抵抗貼付片４ｂの根元部が１８０度折り返され、更に下側水平片部４ａの根元部が上向きに９０度屈曲されて、略Ｅ字形のフレキシブル基板４の縦片部分に貼着された縦向きの補強板５Ａに形成された凹部５ａに半固定抵抗６が立設状態で入り込むように構成した。【選択図】  図１
2005251294.tif 000002
【特許請求の範囲】
【請求項１】
光ピックアップの亜鉛製の本体の表面に配設されるフレキシブル基板に補強板を貼り付け固定して、このフレキシブル基板の一部を折り返して立てた状態で保持するようにした光ピックアップにおけるフレキシブル基板の取付構造において、前記フレキシブル基板が平面視略Ｅ字形に形成されており、このフレキシブル基板の表面に複数の補強板が貼着され、前記フレキシブル基板の下側水平片部から外向きに突出された半固定抵抗貼付片の裏面に半固定抵抗が貼着され、この半固定抵抗貼付片の根元部が１８０度折り返され、更に下側水平片部の根元部が上向きに９０度屈曲されて、前記略Ｅ字形のフレキシブル基板の縦片部分に貼着された補強板に形成された凹部に前記半固定抵抗が立設状態で入り込むように構成したことを特徴とする光ピックアップにおけるフレキシブル基板の取付構造。
【請求項２】
フレキシブル基板に補強板を貼り付け固定して、このフレキシブル基板の一部を折り返して立てた状態で保持するようにしたフレキシブル基板の折り曲げ構造において、前記フレキシブル基板が平面視略Ｅ字形に形成されており、このフレキシブル基板の表面に複数の補強板が貼着されていて、前記フレキシブル基板の下側水平片部から外向きに突出され補強板が貼着された突出片の根元部が１８０度折り返され、更に下側水平片部の根元部が上向きに９０度屈曲されて、略Ｅ字形のフレキシブル基板の縦片部分に貼着された補強板に形成された凹部に前記突出片に貼着された補強板が立設状態で入り込むように構成したことを特徴とするフレキシブル基板の折り曲げ構造。
【請求項３】
前記フレキシブル基板の突出片における前記補強板の反対側にコンデンサやＩＣチップ等の電気部品が取り付けられている請求項２に記載のフレキシブル基板の折り曲げ構造。
【請求項４】
フレキシブル基板に補強板を貼り付け固定して、このフレキシブル基板の一部を折り返して立てた状態で保持するようにした折り曲げ構造において、このフレキシブル基板の表面に複数の補強板が貼着されていて、前記フレキシブル基板の下側水平片部から外向きに突出され補強板が貼着された突出片が設けられ、前記下側水平片部の根元部が上向きに９０度屈曲されて略Ｅ字形のフレキシブル基板の縦片部分に貼着された補強板に形成された凹部に前記突出片に貼着された補強板が立設状態で入り込むように構成したことを特徴とするフレキシブル基板の折り曲げ構造。
【請求項５】
前記フレキシブル基板の突出片における前記補強板の反対側にコンデンサやＩＣチップ等の電気部品が取り付けられている請求項４に記載のフレキシブル基板の折り曲げ構造。
【発明の詳細な説明】
【技術分野】
【０００１】
本発明は、光ピックアップの亜鉛製の本体の表面に配設されるフレキシブル基板に補強板を貼り付け固定して、フレキシブル基板の一部を折り返して立てた状態で保持するようにした光ピックアップにおけるフレキシブル基板の取付構造及びフレキシブル基板の折り曲げ構造に関するものである。
【背景技術】
【０００２】
従来、この種の光ピックアップにおけるフレキシブル基板の取付構造においては、光ピックアップの亜鉛製の本体と、フレキシブル基板の絶縁されていない部分又は、フレキシブル基板に半田付けされた電気部品とが接触しないように、フレキシブル基板における補強板側の面に両面テープを貼り、これを光ピックアップの亜鉛製の本体の表面に貼り付けていた。ところが、両面テープを貼る手間がかかり、両面テープの部分が剥がれやすいという問題があった。
【０００３】
第１の従来技術を図９、図１０に示す。この従来技術は、図９、図１０に示すように、フレキシブルプリント基板１１１をアールＲをつけた折り曲げ部１１２で折り曲げる。その折り曲げた一方の基板部１１１ａの外側縁に設けた折り曲げアール長の約２倍の長さをもつ出張り状の腕部１１４を直角に折り曲げる。更に、腕部１１４の先端爪部１１４ａを折り曲げた他方の基板部１１１ｂの腕部１１４の対向位置にある段差部１１６あるいは係合穴１１７に固定するようになす。これとともに腕部１１４の位置はプリント基板１１１の折り曲げ状態で折り曲げ部１１２の先端頂縁から腕部１１４の折り曲げ部寄り側の端縁までの距離ｒがほぼアール長となる位置にあるようにしたものである。（例えば、特許文献１参照）。
【０００４】
ところが、他方の基板部１１１ｂの段差部１１６あるいは係合溝１１７に、腕部１１４の先端爪部１１４ａを固定するようにしているために、腕部１１４に先端爪部１１４ａを設けなくてはならないという問題があった。また、フレキシブルプリント基板１１１に段差部１１１ｂや係合溝１１７を設けなくてはならないので、このフレキシブルプリント基板１１１の外形を変えなくてはならず、フレキシブルプリント基板１１１のパターンもそれに応じたものに変更しなくてはならず、コスト高になるという問題があった。
【特許文献１】実開昭６２−８４９５１号公報
【発明の開示】
【発明が解決しようとする課題】
【０００５】
本発明は、上記従来の問題に鑑みてなされたものであり、補強板の外形を変えるだけでフレキシブル基板の外形を変える必要がない。このことにより、フレキシブル基板のパターン等の変更が必要でない。ベースとなる側に固定部を設ける必要がなく、フレキシブル基板の外形を若干小さくすることができて、フレキシブル基板のコストダウンを図ることができる光ピックアップにおけるフレキシブル基板の取付構造及びフレキシブル基板の折り曲げ構造を提供することを目的としている。
【課題を解決するための手段】
【０００６】
本発明は、上記課題を解決するために提案されたものであって、請求項１に記載の発明は、光ピックアップの亜鉛製の本体の表面に配設されるフレキシブル基板に補強板を貼り付け固定して、このフレキシブル基板の一部を折り返して立てた状態で保持するようにした光ピックアップにおけるフレキシブル基板の取付構造において、前記フレキシブル基板が平面視略Ｅ字形に形成されており、このフレキシブル基板の表面に複数の補強板が貼着され、前記フレキシブル基板の下側水平片部から外向きに突出された半固定抵抗貼付片の裏面に半固定抵抗が貼着され、この半固定抵抗貼付片の根元部が１８０度折り返され、更に下側水平片部の根元部が上向きに９０度屈曲されて、前記略Ｅ字形のフレキシブル基板の縦片部分に貼着された補強板に形成された凹部に前記半固定抵抗が立設状態で入り込むように構成したことを特徴としている。
【０００７】
請求項２に記載の発明は、フレキシブル基板に補強板を貼り付け固定して、このフレキシブル基板の一部を折り返して立てた状態で保持するようにしたフレキシブル基板の折り曲げ構造において、前記フレキシブル基板が平面視略Ｅ字形に形成されており、このフレキシブル基板の表面に複数の補強板が貼着されていて、前記フレキシブル基板の下側水平片部から外向きに突出され補強板が貼着された突出片の根元部が１８０度折り返され、更に下側水平片部の根元部が上向きに９０度屈曲されて、略Ｅ字形のフレキシブル基板の縦片部分に貼着された補強板に形成された凹部に前記突出片に貼着された補強板が立設状態で入り込むように構成したことを特徴としている。
【０００８】
請求項３に記載の発明は、前記フレキシブル基板の突出片における前記補強板の反対側にコンデンサやＩＣチップ等の電気部品が取り付けられている。
【０００９】
請求項４に記載の発明は、フレキシブル基板に補強板を貼り付け固定して、このフレキシブル基板の一部を折り返して立てた状態で保持するようにした折り曲げ構造において、このフレキシブル基板の表面に複数の補強板が貼着されていて、前記フレキシブル基板の下側水平片部から外向きに突出され補強板が貼着された突出片が設けられ、前記下側水平片部の根元部が上向きに９０度屈曲されて略Ｅ字形のフレキシブル基板の縦片部分に貼着された補強板に形成された凹部に前記突出片に貼着された補強板が立設状態で入り込むように構成したことを特徴としている。
【００１０】
請求項５に記載の発明は、前記フレキシブル基板の突出片における前記補強板の反対側にコンデンサやＩＣチップ等の電気部品が取り付けられている。
【発明の効果】
【００１１】
請求項１に記載の発明によれば、フレキシブル基板の突出片の表面に補強板が貼着されていて、この補強板の凹部に、フレキシブル基板における補強板の反対側に取り付けられた半固定抵抗を折り曲げて立てた状態で入り込むようにしたので、補強板の外形を変えるだけでフレキシブル基板の外形を変えることなく、半固定抵抗を立設した状態で保持できる。このことにより、フレキシブル基板のパターン等を変更することが必要でなくフレキシブル基板のコストダウンを図ることができる。
【００１２】
請求項２に記載の発明によれば、フレキシブル基板の貼着された補強板の凹部に、フレキシブル基板の突出片に貼着された他の補強板をフレキシブル基板と一緒に２度折り曲げて立てた状態で入り込むようにしたので、他の補強板の外形を変えるだけでフレキシブル基板の外形を変えることなく、補強板を立設した状態で保持できる。このことにより、フレキシブル基板のパターン等を変更することが必要でなくフレキシブル基板のコストダウンを図ることができる。
【００１３】
請求項３に記載の発明によれば、フレキシブル基板の突出片における補強板の反対側に貼着されたコンデンサやＩＣチップ等の電気部品を簡単に立設した状態で、別の補強板に設けられた凹部に入り込ませて保持できる。
【００１４】
請求項４に記載の発明によれば、フレキシブル基板の貼着された補強板の凹部に、フレキシブル基板の突出片に貼着された他の補強板をフレキシブル基板と一緒に１度折り曲げて立てた状態で入り込むようにしたので、他の補強板の外形を変えるだけでフレキシブル基板の外形を変えることなく、補強板を立設した状態で保持できる。このことにより、フレキシブル基板のパターン等を変更することが必要でなくフレキシブル基板のコストダウンを図ることができる。また、他の補強板をフレキシブル基板と一緒に１度折り曲げるだけで立設状態に保持することができる。
【００１５】
請求項５に記載の発明によれば、フレキシブル基板の突出片における補強板の反対側に取り付けられたコンデンサやＩＣチップ等の電気部品をより簡単に立設した状態で、別の補強板に設けられた凹部に入り込ませて保持できる。
【発明を実施するための最良の形態】
【００１６】
以下、本発明に係る光ピックアップにおけるフレキシブル基板の取付構造及びフレキシブル基板の折り曲げ構造の実施の形態を、図に基づいて説明する。
【００１７】
図１は光ピックアップの裏面側から見た斜視図、図２は光ピックアップの表面側から見た斜視図である。
【００１８】
図１、図２に示すように、この光ピックアップ１は、亜鉛製の本体２の中央箇所にレンズ３が配設されている。この光ピックアップ１の裏面側から表側に向けてフレキシブル基板４が配設されていて、このフレキシブル基板４の表面に複数の補強板５が貼着されている。図１に示すように、光ピックアップ１の本体２の裏面側には、半固定抵抗６がフレキシブル基板における補強板７の反対側に立設状態で配設されている。この半固定抵抗６は、後述するように、フレキシブル基板４に貼着された補強板５に形成された凹部５ａにその下端が入り込んだ状態で立設状態で保持されている。
【００１９】
図３はフレキシブル基板の平面図である。
【００２０】
図３に示すように、フレキシブル基板４は略Ｅ字形に形成されていて、下側水平片部４ａから外向きに半固定抵抗貼付片４ｂが突出されている。
【００２１】
図４は図３に示すフレキシブル基板に複数の補強板を貼着した状態の左斜め側から見た斜視図である。
【００２２】
図４に示すように、略Ｅ字形のフレキシブル基板４の表面には、複数の補強板５が貼着され、半固定抵抗貼着片４ｂには別の補強板７が貼着され、裏面には半固定抵抗6が貼着されている。また、フレキシブル基板４の縦向きの補強板５Ａにはその内側に凹部５ａが形成されている。
【００２３】
図５は図４に示すフレキシブル基板の突出片に貼着された補強板と反対側の半固定抵抗補強板をフレキシブル基板と一緒に内側に１８０度折り曲げた状態の左斜め側から見た斜視図である。
【００２４】
図５に示すように、フレキシブル基板４の半固定抵抗貼着片４ｂが半固定抵抗６と補強板７と一緒に、その根元部分から表側に１８０度折り曲げられる。
【００２５】
図６は図５に示す状態からフレキシブル基板を９０度折り曲げて半固定抵抗と補強板とを立設状態とした左斜め側から見た斜視図である。
【００２６】
図６に示すように、図５の状態から更に、フレキシブル基板４の下側水平片部４ａの根元部分から表側に９０度折り曲げられて、半固定抵抗６と補強板７の下端が縦向きの補強板５Ａの凹部５ａに入り込んで立設状態で保持されることとなる。
【００２７】
従って、フレキシブル基板４の半固定抵抗貼着片における表面に補強板５が貼着されていて、縦向きの補強板５Ａの凹部５ａに、フレキシブル基板４に貼着された半固定抵抗６と補強板７を折り曲げて立てた状態で入り込むようにしたので、縦向きの補強板５Ａの外形を変えるだけでフレキシブル基板４の外形を変えることなく、半固定抵抗６と補強板７を立設した状態で保持できる。このことにより、フレキシブル基板４のパターン等を変更することが必要でなくフレキシブル基板４のコストダウンを図ることができる。
【００２８】
図７は別例のフレキシブル基板に複数の補強板を貼着した状態の左斜め側から見た斜視図である。
【００２９】
図７に示すように、この別例のフレキシブル基板では、略Ｅ字形のフレキシブル基板４の縦向きの補強板５Ａにおける半固定抵抗６と補強板７の右側対向位置に凹部５ｂが形成されている。
【００３０】
図８は図７の状態からフレキシブル基板の突出片に貼着された半固定抵抗６と補強板７をフレキシブル基板と一緒に右側に９０度折り曲げて半固定抵抗６と補強板７を立設状態とした左斜め側から見た斜視図である。
【００３１】
図８に示すように、フレキシブル基板４の下側水平片部４ａの根元部分から表向きに９０度折り曲げて、縦向きの補強板５Ａの凹部に、半固定抵抗６と補強板７の下端を入り込ませて、立設した状態でこの半固定抵抗６を保持している。
【００３２】
この別例によれば、フレキシブル基板４の下側水平片部４ａの根元部を１度折り曲げるだけで、半固定抵抗６を立設状態にすることができる。
【００３３】
尚、上記実施形態では、半固定抵抗６について説明したが、この代わりに、コンデンサやＩＣチップ等からなる電気部品を適用できることは勿論である。
【図面の簡単な説明】
【００３４】
【図１】光ピックアップの裏面側から見た斜視図である。
【図２】光ピックアップの表面側から見た斜視図である。
【図３】フレキシブル基板の平面図である。
【図４】図３に示すフレキシブル基板に複数の補強板を貼着した状態の左斜め側から見た斜視図である。
【図５】図４に示すフレキシブル基板の突出片に貼着された半固定抵抗と補強板とをフレキシブル基板と一緒に内側に１８０度折り曲げた状態の左斜め側から見た斜視図である。
【図６】図５に示す状態からフレキシブル基板を９０度折り曲げて半固定抵抗と補強板とを立設状態とした左斜め側から見た斜視図である。
【図７】別例のフレキシブル基板に複数の補強板を貼着した状態の左斜め側から見た斜視図である。
【図８】図７の状態からフレキシブル基板の突出片に貼着された半固定抵抗と補強板とをフレキシブル基板と一緒に右側に９０度折り曲げて半固定抵抗と補強板とを立設状態とした左斜め側から見た斜視図である。
【図９】従来の折り曲げ構造としたフレキシブルプリント基板の第１例を示す部分斜視図である。
【図１０】従来の折り曲げ構造としたフレキシブルプリント基板の第２例を示す部分斜視図である。
【符号の説明】
【００３５】
１      光ピックアップ
２      亜鉛製の本体
３      レンズ
４      フレキシブル基板
４ａ    下側水平片部
４ｂ    半固定抵抗貼付片
５      補強板
５Ａ    縦向きの補強板
５ａ    凹部
５ｂ    凹部
６      半固定抵抗
７      補強板
【図１】
2005251294.tif 000003
【図２】
2005251294.tif 000004
【図３】
2005251294.tif 000005
【図４】
2005251294.tif 000006
【図５】
2005251294.tif 000007
【図６】
2005251294.tif 000008
【図７】
2005251294.tif 000009
【図８】
2005251294.tif 000010
【図９】
2005251294.tif 000011
【図１０】
2005251294.tif 000012